(57)【要約】【課題】合成樹脂製ビット接続具の筒孔の開口端縁部の破損を防止すること。【解決手段】電動回転工具に装着された６角軸ドライバービットの先端に取り付けてソケットビット等を連結できる合成樹脂製のビット接続具10の接続構造である。筒状本体部11とその両端部で往復動可能な操作筒体12, 22とからなる。筒状本体部11内の鋼球が操作筒体12, 22の動作と位置により筒孔14, 24内で出没してビットが固定される。筒状本体部11の筒孔14の開口部側14kの最小内径を挿入する６角軸ビットの最大外径よりも大きく形成することにより、６角軸ビットが連結された状態で、筒孔14の開口部側14kにおいてビットの外周面が筒孔14の開口部側14kの内周壁面と接触しないようにした。【選択図】図２
2011104665.tif 000002
【特許請求の範囲】
【請求項１】
インパクトドライバーや電動ドリルドライバー等の電動回転工具に装着された６角軸ドライバービットの先端部に着脱自在に取り付けて接続することができる合成樹脂製のビット接続具であって、
このビット接続具の先端部にはソケットビット、ドリルビット又はドライバービット等の各種６角軸ビットを接続することにより、前記電動回転工具に装着されたドライバービットの先端に更に各種ビットを接続することができる合成樹脂製のビット接続具の接続構造であって、
前記６角軸ビットが挿入される横断面６角形形状の筒孔(14)を有する筒状本体部(11)と、この筒状本体部(11)の端部に外嵌されて長手方向に往復動可能な操作筒体(12)とからなり、
筒状本体部(11)の半径方向には筒孔(14)に通じる貫通穴(16)が少なくとも１個設けられ、操作筒体(21)にはその内周壁面に凹所(17)が形成され、
筒状本体部(11)と操作筒体(12)との間にはコイルスプリング(18)等の弾撥部材が配備され、筒状本体部(11)の貫通穴(16)内にはストッパー用球体(13)が配備されてその半径方向に出没することができ、
筒状本体部(11)の貫通穴(16)と操作筒体(12)の凹所(17)の位置が合致することにより、前記貫通穴(16)内に配備された球体(13)が操作筒体(12)の凹所(17)内に移動することにより、前記６角軸ビットを筒孔(14)内に挿入又は抜脱させることができ、
筒状本体部(11)の貫通穴(16)と操作筒体(11)の凹所(17)の位置がずれることにより、前記貫通穴(16)内に配備された球体(13)が筒孔(14)内部に突出することにより、前記６角軸ビットの挿入又は抜脱が阻止されるビット接続具の接続構造において、
筒状本体部(11)の筒孔(14)の開口部側(14k)の最小内径を挿入する６角軸ビットの最大外径よりも大きく形成することにより、筒孔(14)の開口部側(14k)において前記６角軸ビットの外周面が筒孔(14)内周壁面と接触しないようにしたことを特徴とする合成樹脂製ビット接続具の接続構造。
【請求項２】
インパクトドライバーや電動ドリルドライバー等の電動回転工具に装着された６角軸ドライバービットの先端部に着脱自在に取り付けて接続することができる合成樹脂製のビット接続具であって、
このビット接続具の先端部にはソケットビット、ドリルビット又はドライバービット等の各種６角軸ビットを接続することにより、前記電動回転工具に装着されたドライバービットの先端に更に各種ビットを接続することができる合成樹脂製のビット接続具の接続構造であって、
前記６角軸ビットが挿入される横断面６角形形状の筒孔(14)を有する筒状本体部(11)と、この筒状本体部(11)の端部に外嵌されて長手方向に往復動可能な操作筒体(12)とからなり、
筒状本体部(11)の半径方向には筒孔(14)に通じる貫通穴(16)が少なくとも１個設けられ、操作筒体(21)にはその内周壁面に凹所(17)が形成され、
筒状本体部(11)と操作筒体(12)との間にはコイルスプリング(18)等の弾撥部材が配備され、筒状本体部(11)の貫通穴(16)内にはストッパー用球体(13)が配備されてその半径方向に出没することができ、
筒状本体部(11)の貫通穴(16)と操作筒体(12)の凹所(17)の位置が合致することにより、前記貫通穴(16)内に配備された球体(13)が操作筒体(12)の凹所(17)内に移動することにより、前記６角軸ビットを筒孔(14)内に挿入又は抜脱させることができ、
筒状本体部(11)の貫通穴(16)と操作筒体(11)の凹所(17)の位置がずれることにより、前記貫通穴(16)内に配備された球体(13)が筒孔(14)内部に突出することにより、前記６角軸ビットの挿入又は抜脱が阻止されるビット接続具の接続構造において、
筒状本体部(11)の筒孔(14)の開口部側(14k)の最小内径を挿入する６角軸ビットの最小外径よりも大きく形成し、筒状本体部(11)の筒孔(14)の開口部側(14k)の最大外径を挿入するドライバービットの最大外径よりも大きくすることにより、筒孔(14)の開口部側(14k)において前記６角軸ビットの角部が筒孔(14)内周壁面と接触しないようにしたことを特徴とする合成樹脂製ビット接続具の接続構造。
【請求項３】
筒状本体部(11)の筒孔(14)の開口部側(14k)の横断面形状を略円形としたことを特徴とする請求項１に記載の合成樹脂製ビット接続具の接続構造。
【請求項４】
筒状本体部(11)の筒孔(14)の開口部側(14k)の横断面形状を、その筒孔(14)の底部側(14b)よりも大きい６角形形状とし、その６角形形状の各辺を中心方向に膨出又は突出させた形状としたことを特徴とする請求項２に記載の合成樹脂製ビット接続具の接続構造。
【請求項５】
請求項１乃至４の何れか１項に記載した合成樹脂製ビット接続具の接続構造をその一方端部に形成し、又はその両端部にそれぞれ対称に形成したことを特徴とする合成樹脂製ビット接続具。
【発明の詳細な説明】
【技術分野】
【０００１】
本発明は、インパクトドライバーや電動ドリルドライバー等の電動回転工具に装着された横断面６角形状（６角軸）のプラスドライバービットの先端部に着脱自在に接続することができる合成樹脂製のビット接続具に関し、そのビット接続具の先端部には更にソケットビットやドリルビット、或いはドライバービット等のその他の６角軸を有する各種ビットを接続することが出来るものに関する。
【背景技術】
【０００２】
本発明に係る合成樹脂製ビット接続具は、既に知られているように、インパクトドライバー等の電動回転工具に装着されている６角軸プラスドライバービットを取り外す必要がなく、そのドライバービットの先端に接続して使用するもので、他の各種ビット、例えばソケットビット、ドリルビット、或いはマイナスドライバービット等の６角軸を有する他の各種ビットを簡単にその先端部に接続することができるものである。
このビット接続具の存在により、電動回転工具の回転駆動軸に装着されたプラスドライバービットを取り外すことなく、他の種類のビットを装着して、他の作業を行うことができ、螺着作業を行う場合には、この接続具を取り外せば、直ぐにその作業を行うことができるものである。
【０００３】
従来のビット接続具としては、本願出願人が提案した下記特許文献に記載のものを挙げることが出来るが、これらは全て金属製のものであって、合成樹脂製のものではないが、その構造自体は基本的には同様のものである。
特許文献１に記載のビット接続具は、インパクトドライバーや電動ドリルドライバー等の電動回転工具に装着された６角軸プラスドライバービットの先端部に着脱自在に接続できるものであり、その内部に配備されたストッパー用球体を２個以上設け、その２個以上のストッパー用球体の位置関係を特定の位置関係とすることにより、上記プラスドライバービットがビット接続具の筒孔内でロックしてしまわないように工夫したものである。
【０００４】
また特許文献２に記載のビットジョイントの接続構造は、操作筒体の内壁面に形成した環状凹部の横断面形状を特殊に限定したことにより、挿入される６角軸ドライバービットが極めて滑らかに挿入できるようにしたものである。
【０００５】
図７乃至図９が上記従来のビット接続具の基本的な接続構造を図示したものである。
図７が、横断面６角形状の６角軸プラスドライバービット５０の先端部がビット接続具６０の筒状本体部６１の筒孔６４内に侵入し、その先端部がストッパー用球体６３に衝突してその侵入が阻止されている状態を図示している。
図８では、プラスドライバービット５０の先端部が球体６３に衝突した状態で、ビット接続具６０の操作筒体６２が根元部側Ｒに移動し、操作筒体６２の内面に形成されている環状凹部６７内に球体６３が移動して、球体６３によるプラスドライバービット５０の侵入阻止が解除され、ビット５０は、更に筒孔６４内に侵入する状態を図示している。
【０００６】
図９では、プラスドライバービット５０が更に筒孔６４内に侵入することにより、球体６３が今度はプラスドライバービット５０の外周に設けられている環状凹所５３に適合することにより、操作筒体６２が元の位置に復帰して、ビット５０が球体６３により固定された状態となる。これにより、プラスドライバービット５０にビット接続具６０が固定され、装着されるのである。
【０００７】
即ち、上記ビット接続具６０においては、プラスドライバービット５０の先端部が挿入される筒孔６４内の半径方向に貫通穴６６が設けられ、その貫通穴６６内にストッパー用球体６３が配備されて、その貫通穴６６内で半径方向に移動でき、その貫通穴６６から半径方向の外側又は内側に出没できるように構成されているものである。
貫通穴６６内から内側方向に球体６３が突出した状態で、プラスドライバービット５０の挿入が阻止され、貫通穴６６と環状凹部６７の位置が合致すると、球体６３は貫通穴６６から外側に突出してプラスドライバービット５０の侵入が可能となる。そしてプラスドライバービット５０に設けられた環状凹所５３と貫通穴６６との位置が合致すると、球体６３は、貫通穴６６から内側に突出して操作筒体６２が元の位置に復帰し、ビット接続具６０がプラスドライバービット５０の先端部に装着されるのである。
【０００８】
筒状本体部６１の根元部外周には操作筒体６２がその長手方向に移動可能に外嵌され、筒状本体部６１と操作筒体６２との間にはコイルスプリング６８が配備されているために、筒状本体部６１は操作筒体６２の根元部側に常に付勢されている。操作筒体６２の内面適宜位置には環状凹部６７が形成されており、操作筒体６２を筒状本体部６１の根本側に移動させ、操作筒体６２の環状凹部６７が筒状本体部６１の貫通穴６６の位置と合致すると、ストッパー用球体６３は、貫通穴６６の半径方向外側に移動して、筒孔６４内部でプラスドライバービット５０の先端部の挿入及び抜脱を可能にするのである。
【０００９】
上記ビット接続具の接続構造において、筒状本体部６１に形成されている筒孔６４は、挿入される６角軸のプラスドライバービットの断面形状と同様に６角形形状の横断面形状をその長手方向のほぼ全体に渡り有している。
但し、その筒孔６４の底部は、プラスドライバービットの先端部が適合するため、つまりその先端部は先細に形成されているために、その形状に合致するようにこの底部の横断面形状も先細に形成されている。
【００１０】
上記従来の金属製のビット接続具においては、上記筒状本体部６１の筒孔６４の形状に関して何ら問題は生じなかったのであるが、合成樹脂製のビット接続具においては、当然のこととして金属製ではないので、その強度は金属製よりも劣るものである。
そこで、通常は、筒状本体部の製作に際して、その素材である合成樹脂にガラス繊維を混入させて、その強度を高める対策が成されていたのである。
【先行技術文献】
【特許文献】
【００１１】
【特許文献１】特開２００３−２６６３２４号公報
【特許文献２】特開２００８−１１４３３０号公報
【発明の概要】
【発明が解決しようとする課題】
【００１２】
しかしながら、その素材により、従来の合成樹脂製ビット接続具においては、長期間の使用、或いは、例えば、このビット接続具の先端部にソケットビット等を接続して、ボルトやナット等の締め付け作業を行う際に、負荷が過剰に掛かり、筒状本体部の筒孔の開口端部にひび割れや亀裂が入り、破損するという問題が生じた。
この問題は、現在のインパクトドライバー等の電動回転工具の回転トルクが増強されたことにも起因しているのである。
【００１３】
そこで、本発明においては、上記の問題点を鑑み創案されたものであり、その課題とするところは、合成樹脂製ビット接続具において、その筒状本体部のひび割れや破損等が、とりわけその筒孔の開口端縁部で生じないようにすることである。
更には、各種ビットをこのビット接続具の筒状本体部の筒孔に挿入するわけであるが、その各種ビットを挿入するに際して、その挿入される６角軸ビットの角部が筒孔の開口部から滑らかに挿入できるようにすること、即ち６角軸の角部が筒孔の開口部の開口縁部に当接したり、引っ掛かったりしないようにすることも本発明の課題となる。
【課題を解決するための手段】
【００１４】
上記課題を解決するために、本発明の第１のものは、インパクトドライバーや電動ドリルドライバー等の電動回転工具に装着された６角軸ドライバービットの先端部に着脱自在に取り付けて接続することができる合成樹脂製のビット接続具であって、このビット接続具の先端部にはソケットビット、ドリルビット又はドライバービット等の各種６角軸ビットを接続することにより、前記電動回転工具に装着されたドライバービットの先端に更に各種ビットを接続することができる合成樹脂製のビット接続具の接続構造であって、前記６角軸ビットが挿入される横断面６角形形状の筒孔を有する筒状本体部と、この筒状本体部の端部に外嵌されて長手方向に往復動可能な操作筒体とからなり、筒状本体部の半径方向には筒孔に通じる貫通穴が少なくとも１個設けられ、操作筒体にはその内周壁面に凹所が形成され、筒状本体部と操作筒体との間にはコイルスプリング等の弾撥部材が配備され、筒状本体部の貫通穴内にはストッパー用球体が配備されてその半径方向に出没することができ、筒状本体部の貫通穴と操作筒体の凹所の位置が合致することにより、前記貫通穴内に配備された球体が操作筒体の凹所内に移動することにより、前記６角軸ビットを筒孔内に挿入又は抜脱させることができ、筒状本体部の貫通穴と操作筒体の凹所の位置がずれることにより、前記貫通穴内に配備された球体が筒孔内部に突出することにより、前記６角軸ビットの挿入又は抜脱が阻止されるビット接続具の接続構造において、筒状本体部の筒孔の開口部側の最小内径を挿入する６角軸ビットの最大外径よりも大きく形成することにより、筒孔の開口部側において前記６角軸ビットの外周面が筒孔内周壁面と接触しないようにしたことを特徴とする合成樹脂製ビット接続具の接続構造である。
【００１５】
本発明の第２のものは、インパクトドライバーや電動ドリルドライバー等の電動回転工具に装着された６角軸ドライバービットの先端部に着脱自在に取り付けて接続することができる合成樹脂製のビット接続具であって、このビット接続具の先端部にはソケットビット、ドリルビット又はドライバービット等の各種６角軸ビットを接続することにより、前記電動回転工具に装着されたドライバービットの先端に更に各種ビットを接続することができる合成樹脂製のビット接続具の接続構造であって、前記６角軸ビットが挿入される横断面６角形形状の筒孔を有する筒状本体部と、この筒状本体部の端部に外嵌されて長手方向に往復動可能な操作筒体とからなり、筒状本体部の半径方向には筒孔に通じる貫通穴が少なくとも１個設けられ、操作筒体にはその内周壁面に凹所が形成され、筒状本体部と操作筒体との間にはコイルスプリング等の弾撥部材が配備され、筒状本体部の貫通穴内にはストッパー用球体が配備されてその半径方向に出没することができ、筒状本体部の貫通穴と操作筒体の凹所の位置が合致することにより、前記貫通穴内に配備された球体が操作筒体の凹所内に移動することにより、前記６角軸ビットを筒孔内に挿入又は抜脱させることができ、筒状本体部の貫通穴と操作筒体の凹所の位置がずれることにより、前記貫通穴内に配備された球体が筒孔内部に突出することにより、前記６角軸ビットの挿入又は抜脱が阻止されるビット接続具の接続構造において、筒状本体部の筒孔の開口部側の最小内径を挿入する６角軸ビットの最小外径よりも大きく形成し、筒状本体部の筒孔の開口部側の最大外径を挿入するドライバービットの最大外径よりも大きくすることにより、筒孔の開口部側において前記６角軸ビットの角部が筒孔内周壁面と接触しないようにしたことを特徴とする合成樹脂製ビット接続具の接続構造である。
【００１６】
本発明の第３のものは、上記第１の発明において、筒状本体部の筒孔の開口部側の横断面形状を略円形としたことを特徴とするビット接続具の接続構造である。
【００１７】
本発明の第４のものは、上記第２の発明において、筒状本体部の筒孔の開口部側の横断面形状を、その筒孔の底部側よりも大きい６角形形状とし、その６角形形状の各辺を中心方向に膨出又は突出させた形状としたことを特徴とする合成樹脂製ビット接続具の接続構造である。
【００１８】
本発明の第５のものは、上記第１乃至第４の何れかに記載した合成樹脂製ビット接続具の接続構造をその一方端部に形成し、又はその両端部にそれぞれ対称に形成したことを特徴とする合成樹脂製ビット接続具である。
【発明の効果】
【００１９】
本発明の第１のものにおいては、筒状本体部に形成されている筒孔の底部側では、挿入される６角軸ビットの横断面と略同一の６角形形状を有し、６角軸ビットの外周面と筒孔内周面との横断面形状が合致して、電動回転工具の回転駆動力が確実に伝達されることになるのであるが、筒孔の開口部側においては、その最小内径が挿入される６角軸ビットの最大外径よりも大きく形成しているために、６角軸ビットの外周面が筒孔内周壁面と接触をせず、それ故、回転駆動力が伝達される６角軸ビットの角部も筒孔内周壁面と当接しないために、筒孔の開口部側で、亀裂やクラック等の破損が生じることが非常に少なくなるのである。
【００２０】
本発明の第２のものにおいても、上記第１の発明と同様の効果を発揮するのであるが、この第２の発明においては、筒孔の開口部側の最小内径を挿入される６角軸ビットの最小外径よりも大きくし、また筒孔の開口部側の最大内径を挿入される６角軸ビットの最大外径よりも大きくすることによって、６角軸ビットの角部が筒孔の開口部側の内周壁面に当接しないものとした。
即ち、例えば各種ビットも筒孔も、その横断面形状は６角形を成しているため、それぞれ最大外径と最小内径を有している。つまり、対角線方向長さが最大となり、その対向する辺同士を結ぶ直径方向長さが最小長さとなる。
【００２１】
そして、挿入される６角軸ビットのこの最小長さの部位（辺同士を結ぶ直径方向）が、筒孔（開口部側）の最小長さの部位（辺同士を結ぶ直径方向）に位置するようにその筒孔の断面形状を配置すれば、ビットの最大長さの部位（角部を結ぶ直径方向部位）が筒孔の最大長さの部位に一致することとなり、ビットの最大長さが筒孔の最小長さよりも大きくても、ビットの外周側面は、筒孔の内周壁面と接触することが無くなるのである。
換言すると、横断面６角形のビットの外形とその中心位置を一致させて平行に少し大きい相似形の形状を有するように筒孔の開口部側の横断面形状を６角形とすれば、ビットの最大外径が筒孔の最小内径よりも大きくてもよいのである。
【００２２】
本発明の第３のものにおいては、上記第１の発明における筒孔の開口部側の横断面形状をより限定したもので、その横断面形状を略円形としたものである。
これにより、６角軸ビットの角部が筒孔の開口部側の内周壁面と接触しなくなる。
【００２３】
本発明の第４のものにおいては、上記第２の発明における筒孔の開口部側の横断面形状をより限定したもので、つまり、筒孔の横断面形状を筒孔の底部側のものよりも大きい６角形形状とし、更にその６角形の各辺を中心方向に膨出又は突出させた形状としたものである。
これにより、上記の発明と同様に、６角軸ビットの角部が筒孔の内周壁面と接触する事が無くなる。
【００２４】
更に、この発明においては、筒孔の横断面６角形の各辺の部分が中心方向に膨出し又は突出する事により、挿入される６角軸ビットの角部がその膨出部又は突出部に当接すると、その膨出部又は突出部の何れかの側に振り分けられ、そのビットの角部が筒孔底部側の断面６角形の角部の位置に案内されるのである。
ビットの角部が筒孔の底部側の角部に案内されるということは、開口部端縁から挿入されるビットがその挿入端から筒孔の底部側に至るまで、何ら引っ掛かることなく、非常に滑らかに筒孔の奥まで挿入されることとなるのである。
【００２５】
本発明の第５のものにおいては、上記のようにそれぞれの効果を有するビット接続具の接続構造をその一方の端部に設け、或いはその両方の端部に対称に設けた合成樹脂製ビット接続具を提供でき、これにより筒状本体部の筒孔開口端縁部が破損しないものを提供することができることとなるのである。
【図面の簡単な説明】
【００２６】
【図１】本発明に係るビット接続具の一実施形態の使用状態を示す説明図である。
【図２】本発明の上記実施形態に係るドリル接続具の中央縦断面図である。
【図３】図２に図示したビット接続具の拡大右側面図である。
【図４】図２のIV−IV断面図である。
【図５】（Ａ）及び（Ｂ）共に本発明に係るビット接続具の要部である筒孔の形状をより拡大して示す他の実施形態に係る右側面説明図である。
【図６】（Ａ）及び（Ｂ）共に本発明に係るビット接続具の要部である筒孔の形状をより拡大して示す他の実施形態に係る右側面説明図である。
【図７】従来のビット接続具の接続構造の説明図であって、プラスドライバービットの先端部へ嵌入した最初の時点の状態を示している。
【図８】従来のビット接続具の接続構造の説明図であって、操作筒体が根元部側に移行した状態を示している。
【図９】従来のビット接続具の接続構造の説明図であって、プラスドライバービットに完全に装着された状態を示している。
【発明を実施するための形態】
【００２７】
以下、添付の図面と共に本発明の実施形態について説明する。
図１は、本発明に係るビット接続具の一実施形態の使用状態を示す説明図である。
本発明に係るビット接続具１０は、その両端部にそれぞれ６角軸ビットの６角軸の部分を連結することができる。
このビット接続具１０の構成は、筒状本体部１１の両端部に操作筒体１２、２２がそれぞれ設けられており、それぞれの操作筒体１２、２２は、それらの軸方向（長手方向）に往復動することができる。
【００２８】
４０は、ソケットビットを図示しており、このソケットビット４０は、その先端部にナットやボルト頭部と係合できる６角軸孔４１を有し、その根元部側には横断面６角形形状の接続軸部４２が設けられ、この接続軸部４２にはその周方向全体に環状凹部４３が設けられ、この環状凹部４３にビット接続具１０の先端部側に内設されているストッパー用球体と係合して、前記ソケットビット４０が連結固定される。
即ち、ソケットビット４０の根元側の接続軸部４２をドリル接続具１０の先端側の筒孔２４内に挿入しつつ、操作筒体２２を根元側に（矢印Ｒの方向に）移動させることによって、ソケットビット４０の接続軸部４２をドリル接続具１０に連結し、接続することができる。
【００２９】
同様に、ドリル接続具１０の根元側にも、図には現れていないが、筒状本体部１１の中心軸方向に筒孔が設けられており、この筒孔内にインパクトドライバー５５に装着されているプラスドライバービット５０の先端部を挿入しつつ、ドリル接続具１０の根元側の操作筒体１２を矢印Ｒ方向（根元側）に移動させることにより、プラスドライバービット５０が挿入され、連結固定されるのである。
【００３０】
プラスドライバービット５０の先端部側にはその周方向全体に環状凹部５３が設けられており、この環状凹部５３にドリル接続具１０の根元側に内設されているストッパー用球体が適合して、プラスドライバービット５０が連結固定されるように構成されている。
尚、上記ストッパー用球体と６角軸のプラスドライバービット５０或いは前記ソケットビット４０の６角軸の連結軸部４２との係合関係は、上記従来の金属製ビット接続具の構成と同様である。
【００３１】
但し、本発明の合成樹脂製ドリル接続具１０においては、筒状本体部１１の両端部側に設けられている操作筒体１２、２２が周方向に回動しないように構成されている。
というのも、金属製ドリル接続具の場合には、その素材の強度から、操作筒体が筒状本体部の周方向に回動又は回転しても何ら問題はないが、合成樹脂製の場合にはその強度が金属よりも劣るために、磨耗等を考慮して操作筒体１２、２２が筒状本体部１１の周囲で回転又は回動しないように構成している。
具体的には後に説明するが、筒状本体部１１の外周面の長手方向で軸芯と平行に長条溝部を何本か設けて、操作筒体１２、２２の内周面の長手方向に凸部を形成することにより、これら凸部と前記長条溝部とを相互に係合させることによって、周方向への回動を阻止している。
【００３２】
図２は、本発明の上記実施形態に係るドリル接続具の中央縦断面図である。
筒状本体部１１は、その両端部の軸方向に横断面６角形形状の筒孔１４、２４が設けられているが、これら筒孔１４、２４の内の根元部側（図中右側）の筒孔１４の形状が本発明の特徴部分となっている。
勿論、図中左側の筒孔２４の構成も、図中右側の筒孔１４の構成と対称に同じ構成にすることができるが、説明の都合上、右側の根元部側の構成のみ本発明の技術思想を適用している。
【００３３】
この特徴部分は後に詳述するとして、先ず本発明に係るこの実施形態の他の基本的な構成について説明する。
この実施形態の他の基本構成は従来の金属製のドリル接続具とほぼ同様である。
先ず、その先端部側の構成について説明すると、筒状本体部１１の先端部側（図中左側）には、横断面６角形形状の筒孔２４が形成され、この筒孔２４の横断面形状は、その全体でほぼ同一に形成されている。
この筒孔２４の半径方向には少なくとも１個の貫通穴２６が設けられ、この筒孔２６内にストッパー用球体としての鋼球２３が内設され、この鋼球２３は、貫通穴２６の中心側及び外側の開口部からその一部が出没可能に形成されている。
【００３４】
操作筒体２２は、筒状本体部１１の長手方向に往復動自在に形成されており、即ち筒状本体部１１の外周面と操作筒体２２の内周面との間に弾撥部材としてのコイルスプリング２８が設けられており、また筒状本体部１１の先端部外周にはストッパーリングとしてのＣリング２９（図中、黒丸で表示した。）が設けられている。
以上の構成により、操作筒体２２が筒状本体部１１の先端部側でその長手方向に往復動することができる。
【００３５】
そして、操作筒体２２の先端側の内周面に凹所２７が形成されているための、操作筒体２２が根元側方向（矢印Ｒ方向）に移動されることにより、鋼球２３が凹所２７の側に突出して、筒孔２４の内部にソケットビット等の接続軸部の侵入・抜脱が可能となるのである。
逆に操作筒体２２が図２の位置にあるときには、鋼球２３が筒孔２４内部に突出した状態となるために例えばソケットビット等の６角軸の接続軸部の侵入・抜脱が阻止されることとなるのである。
【００３６】
尚、この実施形態においては、鋼球２３が設けられている貫通穴２６が筒状本体部１１の周方向に同一間隔（中心角１２０度）で３個設けており、操作筒体２２の周方向への回動防止のための長条溝部３０も貫通穴２６が設けられた部位で、筒状本体部１１の外周面の長手方向に３本設けられている。
この長条溝部３０に操作筒体２２の内壁面に形成された凸部３１とが適合することのより、操作筒体２２が筒状本体部１１の外周で周方向に回動しないように構成されている。
従って、図２の中央縦断面図においては、その上方側と下方側とでその図が上下対称に現れて来ず、相違することとなる。
また、貫通穴２６と鋼球２３を筒状本体部１１の周方向に３個設けると、他の１つの貫通穴と鋼球がこの断面図に現れるのであるが、煩雑さを避けるために、図示省略している。
【００３７】
次に、ビット接続具１０の根元部側の構成について説明する。
この根元部側の筒孔１４の内部には、電動回転工具に装着されているプラスドライバービットが挿入されることとなる。
その構成は、筒状本体部１１の根元部側（図中右側）に、横断面６角形形状の筒孔１４が形成されているのであるが、この筒孔１４の横断面形状は、前記先端部側に形成された筒孔２４とは異なっている。
即ち、その筒孔１４の断面形状の大きさ及び形状が、その筒孔１４の底部側と開口部側とで、異なるように形成しているのである。これが本発明の特徴部分である。
【００３８】
この筒孔１４の底部１４ｔは、電動回転工具に装着されたプラスドライバービットの先端の尖った形状に適合するように、底面に向かって先細に形成されている。
次に、この筒孔１４の底部側１４ｂの横断面形状は、挿入されるプラスドライバービットの６角軸と略同一の６角形形状とされているが、この筒孔１４の開口部側１４ｋの横断面形状を挿入されるプラスドライバービットの横断面形状よりも大きい相似形の６角形形状の横断面形状を有するように形成しているのである。
【００３９】
即ち、この筒孔１４の開口部側１４ｋにおいては、前記プラスドライバービットを挿入した後、電動回転工具を回転させても、その６角軸の角部が筒孔１４の開口部側１４ｋの内周壁面に接触しないように形成しているのである。
実際には、この開口部側１４ｋの大きい６角形の断面形状の角部を更にテーパー状に切り欠いているのであるが、詳しくは次図の図３で説明する。
【００４０】
これが本発明の特徴部分となり、回転トルクが増強された電動回転工具に装着されたプラスドライバービットが、この本発明に係るビット接続具１０の根元部側の筒孔１４に挿入されると、その６角軸のドライバービットは、筒孔１４の底部側１４ｂの部分で係合して回転トルクが伝達されるが、筒孔１４の開口部側１４ｋの部分では、筒孔内周壁面と接触しないように形成されているために、６角軸ドライバービットの角部によって筒状本体部１１の筒孔１４の開口端縁部で割れ等の破損が生じることが防止されるのである。
尚ここで、筒孔１４の底部側１４ｂと開口部側１４ｋの内径を異ならせ、開口部側１４ｋの内径を大きくすることが本発明の特徴部分となるが、内径を大きくするに際して、段差を設けて異なる内径に形成するのでもよいし、傾斜するように徐々にその内径を大きくするように形成するのでもよい。
【００４１】
その他の構成については、前記先端部側と同様であるが、筒孔１４の半径方向に少なくとも１個の貫通穴１６が設けられ、この筒孔１６内にストッパー用球体としての鋼球１３が内設され、この鋼球１３は、貫通穴１６の中心側及び外側の開口部からその一部が出没可能に形成されている。
【００４２】
操作筒体１２は、筒状本体部１１の長手方向に往復動自在に形成されており、即ち筒状本体部１１の外周面と操作筒体１２の内周面との間に弾撥部材としてのコイルスプリング１８が設けられており、また筒状本体部１１の中央部側外周にはストッパーリングとしてのＣリング１９（図中、黒丸で表示した。）が設けられている。
以上の構成により、操作筒体１２が筒状本体部１１の根元部側でその長手方向に往復動することができる。
【００４３】
そして、操作筒体１２の先端側の内周面に凹所１７が形成されているための、操作筒体１２が根元側方向（矢印Ｒ方向）に移動されることにより、鋼球１３が凹所１７の側に突出して、筒孔１４の内部にドライバービットの６角軸の侵入・抜脱が可能となるのである。
逆に操作筒体１２がコイルスプリング１８の付勢力により、図２の位置に復帰したときには、鋼球１３が筒孔１４内部に突出した状態となるために、ドライバービットの６角軸の侵入・抜脱が阻止されるのである。
【００４４】
尚、前記先端部側の構成と同様に、この実施形態においては、鋼球１３が設けられている貫通穴１６が筒状本体部１１の周方向に同一間隔（中心角１２０度）で３個設けており、操作筒体１２の回動防止のための長条溝部３０も貫通穴１６が設けられた部位の長手方向表面に３本設けられている。
この長条溝部３０に操作筒体１２の内壁面に形成された凸部３１とが適合することにより、操作筒体１２が筒状本体部１１の外周で周方向に回動しないように構成されている。
この点は、前記の先端部側の説明と同じである
同様に、貫通穴１６と鋼球１３を筒状本体部１１の周方向に３個設けると、他の１つの貫通穴と鋼球がこの断面図に現れるのであるが、煩雑さを避けるために、図示省略している点も前記と同様である。
【００４５】
図３が図２に図示したビット接続具の拡大右側面図である。
この図によって、本発明に係る筒状本体部１１の根元部側に形成された筒孔１４の形状を見て取ることができる。
即ち、この筒孔１４は、その底部側１４ｂの横断面形状が挿入する６角軸ドライバービットの横断面形状と略同一に形成され、その開口部側１４ｋの横断面形状が前記底部側１４ｂの横断面形状よりも少し大きい相似形の６角形形状を有しているのである。
【００４６】
更に、その開口部側１４ｋの横断面形状の角部に切欠１５をそれぞれ形成している。より詳しくは、この切欠１５は、筒孔１４の開口部側１４ｋの部位の少し開口部寄りの部位からその角部に沿って斜めに削り取った形状に形成したものである（図２参照）。
以上の形状に筒孔１４を形成することにより、ここに挿入されるドライバービットの６角軸は、筒孔１４の底部側１４ｂの部分で係合して回転トルクが伝達され、他方、筒孔１４の開口部側１４ｋの部分では、ドライバービットの６角軸の角部が筒孔１４の内周壁面とは接触しないこととなる。これにより、筒孔の開口端縁部に割れ等の破損がほぼ無くなるのである。
【００４７】
また、前記切欠１５を設けることにより、これら切欠１５の先端部を連結した形状がやはり６角形形状となり、このより大きい６角形形状の各辺の部分が内側（中心方向）に突出した状態となる。
この突出した部位である突出部１５ｔの存在により、挿入される６角軸ドライバービットの角部が筒孔１４の底部側１４ｂの角部へとスムースに案内されるという大きな効果も同時に発生するのである。
【００４８】
図４は、図２のIV−IV拡大断面図である。
この図から鋼球１３、貫通穴１６、凸部３１、及び長条溝部３０の構成を見て取ることができる。
操作筒体１２は、紙面表裏方向に筒状本体部１１の外周面を往復動することができる。
筒状本体部１１には、周方向同一間隔で（中心角１２０度で）貫通穴１６が３個設けられ、この貫通穴１６内に鋼球１３がそれぞれ配備されている。
【００４９】
この貫通孔１６が設けられた筒状本体部１１の外周面の長手方向（図中紙面表裏方向）に長条溝部３０が形成され、この長条溝部３０に係合する凸部３１が操作筒体１２の内周面に３箇所設けられている。
これら凸部３１と長条溝部３０の相互の係合により、操作筒体１２が筒状本体部１１の外周で周方向に回動しないこととなる。
【００５０】
図中紙背方向に操作筒体１２が移動されると、図には現れていない凹所が貫通穴１６の位置に来て、鋼球１３が貫通穴１６の外側方向に移行し、筒孔１４内にプラスドライバービットが挿入できる、或いは抜脱できることとなるのである。
この実施形態では、鋼球１３を３個設けているが、このストッパー用球体である鋼球１３は、最低１個あればよいものである。
【００５１】
図５及び図６は、本発明に係るビット接続具の要部である筒孔の形状をより拡大して示す右側面説明図である。
図５（Ａ）においては、筒孔１４の底部側１４ｂの横断面形状は、挿入される６角軸ドライバービットの横断面形状と略同一の６角形形状を有しており、その筒孔１４の開口部側１４ｋの横断面形状は、円形を成し、その直径が底部側１４ｂの横断面６角形状の対角線となる最大外径よりも大きいものである。つまり、挿入される６角軸ドライバービットの最大外径よりも大きく形成されている。
１６は、ストッパー用球体である鋼球である。
従って、挿入される６角軸ドライバービットの角部が筒孔１４の開口部側１４ｋの内周壁面と接触せず、したがって、その開口端縁部が破損する恐れがなくなる。
【００５２】
図５（Ｂ）においては、筒孔１４の底部側１４ｂの横断面形状は、挿入される６角軸ドライバービットの横断面形状と略同一の６角形形状を有しており、その筒孔１４の開口部側１４ｋの横断面形状は、前記底部側１４ｂの横断面形状よりも大きい相似形の６角形形状を成すものである。
ここで、この大きい横断面形状の最小内径、つまり対向する辺の最短距離を筒孔１４の底部側１４ｂの最大外径（対角線の距離）よりも少し大きく形成している。
上記と同様に、１６は、ストッパー用球体である鋼球である。
従って、挿入される６角軸ドライバービットの角部は、筒孔１４の開口部側１４ｋの内周壁面と接触せず、従って、ドライバービットが筒孔１４に挿入され、連結された後に回転トルクが負荷されても、その開口端縁部が破損する恐れがない。
【００５３】
図６（Ａ）においては、前記図５（Ｂ）において横断面形状の大きい筒孔１４の開口部側１４ｋの部分で、その各辺の部分を筒孔１４の中心に向かって少し突出させた突出部１５ｔを設けたものである。
この図６（Ａ）に示す実施形態においては、図３に図示したものと異なる点は、筒孔１４の開口部側１４ｋの断面６角形の角部がテーパー状に形成されていない点である。
【００５４】
前記突出部１５ｔの対向するもの同士の距離は、６角軸のドライバービットの角部の対角線の長さよりも少し短く形成されているが、このような形態とすることにより、６角軸ドライバービットの角部が筒孔１４の開口部側１４ｋから挿入され、ドライバービットの角部が突出部１５ｔを避けるように侵入することとなり、底部側１４ｂの角部へと案内されるという効果を発揮するのである。
勿論、この実施形態においても、ドライバービットが連結された後、回転トルクが負荷されても、上記の形態と同様に、ドライバービットの角部が筒孔１４の開口部側１４ｋの内周壁面と接触せず、それ故、筒孔１４の開口端縁部分で破損が生じることがなくなるのである。
【００５５】
図６（Ｂ）は、前記図３に図示した実施形態の筒孔の形状をより大きく示す説明図である。
即ち、筒孔１４の底部側１４ｂは挿入される６角軸ドライバービットの断面形状とほぼ同じ断面形状を有し、その開口部側１４ｋの横断面形状は、底部側１４ｂの横断面形状よりも少し大きい相似形の６角形形状を成し、その大きい６角形形状の角部をテーパー状に切り欠いて切欠部１５を形成したものである。
【００５６】
これにより、筒孔１４の開口部側１４ｋの角部間の各辺の中間部に突出部１５ｔが形成されることとなる。
この突出部１５ｔは、筒孔１４の中心部に向かって突出しており、挿入されるドライバービットの角部がこの突出部１５ｔに案内されて、筒孔１４の底部側１４ｂの角部へと適切に導かれ係合するのである。この効果は、上記図６（Ａ）の実施形態と同じである。
【００５７】
以上、実施形態について説明したが、本発明におていは以下の通り設計変更をすることができる。
先ず、本発明に係るビット接続具は、各種ビットの６角軸が挿入されることとなる筒孔の構成にその特徴が存する。
そして、この筒孔の構成は、ビット接続具の一方の端部にのみ、或いは両方の端部のそれぞれに設けることができるものである。
更に、基本的には、その筒孔の断面形状は、その底部側で挿入される６角軸ビットと略同一とし、適切に相互に係合して回転トルクが伝達され、その開口部側では挿入される６角軸ビットの角部又は外周面と接触しないような断面形状に構成すれば、具体的にはどのような形状のものでもよいのである。
【００５８】
筒状本体部の両端部に設けた操作筒体は、上記実施形態では、それぞれ同じ方向、即ち根元側に移動させることにより、６角軸ビットの挿入・抜脱ができるように構成したが、これを左右対称に、即ち、先端部側の操作筒体２２の側で、この操作筒体を先端方向に移動させることにより、ビットを挿入・抜脱できるように構成することもできる。というのも、コイルスプリングと凹所の位置を逆にすればよいからである。
【００５９】
貫通穴及び鋼球は最低１個あればよい。
筒状本体部の外周面長手方向に形成した長条溝部と操作筒体の内周面に設けた凸部も、これを設けずに実施することも可能である。
この場合には、操作筒体は筒状本体部の外周面で周方向に回動してしまうので、その材質を考慮すれば、これら長条溝部と凸部は形成したほうが好ましい。
【００６０】
その他、筒状本体部及び操作筒体の長さや外径等のサイズ、及び外観デザイン等は種々設計変更することができる。
以上、本発明は、その６角軸ビットと係合する今までに全く存在しない新規で独創的な筒孔の構成を発明し、合成樹脂製のビット接続具として極めて多大な効果を発揮する画期的なものを提供することができたものである。
【符号の説明】
【００６１】
１０  ビット接続具
１１  筒状本体部
１２、２２  操作筒体
１３、２３  鋼球（ストッパー用球体）
１４、２４  筒孔
１４ｂ  底部側（筒孔の）
１４ｋ  開口部側（筒孔の）
１５  切欠部
１５ｔ  突出部
１６、２６  貫通穴
１７、２７  凹所
１８  コイルスプリング
１９、２９  Ｃリング
３０  長条溝部
３１  凸部
【図１】
2011104665.tif 000003
【図２】
2011104665.tif 000004
【図３】
2011104665.tif 000005
【図４】
2011104665.tif 000006
【図５】
2011104665.tif 000007
【図６】
2011104665.tif 000008
【図７】
2011104665.tif 000009
【図８】
2011104665.tif 000010
【図９】
2011104665.tif 000011